(57)【要約】【課題】的のボールが当った部分のみをレーザー光によって浮かび上がらせることができ、ボールの当たる衝撃には全く影響を受けないようにすることができて、結果的にボール感知装置の耐久性を向上させることのできる表示装置を提供すること。【解決手段】表示装置２０を、的５０側に設けられて、ボールが当たったことを感知するボール感知装置１０からの信号を得てレーザー光を発するレーザー照射器２１と、このレーザー照射器２１の複数を固定的に支持する支持台２２と、この支持台２２全体を周期的に閉曲線運動させる駆動装置２３とにより構成したこと。【選択図】図１０
2008178711.tif 000002
【特許請求の範囲】
【請求項１】
屋内にも設置可能で、内部でバスケットボール、テニス、サッカー、あるいは野球等の球技用ボールによる遊技を可能とする本体と、この本体内のプレイゾーンから打ち込まれ、あるいは投げ込まれた前記ボールが当てられる的とを備えた球技遊技機に使用される表示装置であって、
この表示装置を、前記的側に設けられて、前記ボールが当たったことを感知するボール感知装置からの信号を得てレーザー光を発するレーザー照射器と、このレーザー照射器の複数を固定的に支持する支持台と、この支持台全体を周期的に閉曲線運動させる駆動装置とにより構成して、
前記的の所定箇所にボールが当ったとき、その部分を前記レーザー光の閉曲線によって浮かび上がらせるようにしたことを特徴とする表示装置。
【発明の詳細な説明】
【技術分野】
【０００１】
本発明は、バスケットボール、テニス、サッカー、あるいは野球等の球技に使用するボール等を使用して、その球技の練習や遊技を行うための球技遊技機に使用する表示装置に関するものである。
【背景技術】
【０００２】
近年、遊園地やゲームセンター等に野球ボール等を使用して、実戦さながらの球技体験を行うことができ、しかも点数の表示を行って、球技の練習成果や得点を競うことのできる球技遊技機が、種々な型式のものとして設置されることが多くなってきている。
【０００３】
これら従来の球技遊技機は、野球のピッチング機を例に採ってみると、遊技者の前方に、ストライクゾーンを複数に分割してそれぞれの部分を電光的に表示する表示器を配置して、ピッチングされたボールがストライクゾーンのどこに当ったかを表示するようにしたものである。
【０００４】
この表示器は、ボールが当ったことを検知する電気的スイッチを組み合わせて言わば機械的に構成されているものであり、しかも分割されたストライクゾーンをそれぞれ光らせなければならないものであるため、非常に故障し易いものである。特に、このような野球のピッチング機であれば、ボールが当たる時の衝撃も相当なものであり、故障し易いだけでなく、隣接する部分をも誤って点灯してしまうという誤作動もときどき発生することもあったのである。
【０００５】
そこで、本発明者は、ボールの衝撃を受けても故障することが少なくて、表示そのものを確実にするにはどうしたらよいか、について種々検討を重ねてきた結果、本発明を完成したのである。
【特許文献１】特開平１０−２４４０２８号公報
【発明の開示】
【発明が解決しようとする課題】
【０００６】
本発明は、以上のような実状に鑑みてなされたもので、その解決しようとする課題は、ボールが的に当ったことの表示を確実に行いながら耐久性にも優れたものとすることである。
【０００７】
すなわち、本発明の目的とするところは、的のボールが当った部分のみをレーザー光によって浮かび上がらせることができ、ボールの当たる衝撃には全く影響を受けないようにすることができて、結果的にボール感知装置の耐久性を向上させることのできる表示装置を提供することにある。
【課題を解決するための手段】
【０００８】
以上の課題を解決するために、本発明の採った手段は、後述する最良形態の説明中で使用する符号を付して説明すると、
「屋内にも設置可能で、内部でバスケットボール、テニス、サッカー、あるいは野球等の球技用ボール３０による遊技を可能とする本体１００ａと、この本体１００ａ内のプレイゾーン４０から打ち込まれ、あるいは投げ込まれたボール３０が当てられる的５０とを備えた球技遊技機１００に使用される表示装置２０であって、
この表示装置２０を、的５０側に設けられて、ボール３０が当たったことを感知するボール感知装置１０からの信号を得てレーザー光を発するレーザー照射器２１と、このレーザー照射器２１の複数を固定的に支持する支持台２２と、この支持台２２全体を周期的に閉曲線運動させる駆動装置２３とにより構成して、
的５０の所定箇所にボール３０が当ったとき、その部分をレーザー光の閉曲線によって浮かび上がらせるようにしたことを特徴とする表示装置２０」
である。
【０００９】
すなわち、この表示装置２０は、ボール３０が的５０の所定箇所に当ったことを、的５０の該当箇所を直接発光させて表示するのではなく、各レーザー照射器２１からのレーザー光によって的５０の該当箇所を浮かび上がらせるようにしたものである。そのために、この表示装置２０は、的５０側に設けられて、ボール３０が当たったことを感知するボール感知装置１０等からの信号を得てレーザー光を発するレーザー照射器２１と、このレーザー照射器２１の複数を固定的に支持する支持台２２と、この支持台２２全体を周期的に閉曲線運動させる駆動装置２３とにより構成してあるのである。
【００１０】
この表示装置２０の各レーザー照射器２１は、的５０上の該当部分にレーザー光を照射すべく常に待機しているのであり、例えば、後述するボール感知装置１０を構成している気流感知スイッチ１４からの信号を受けてレーザー光を個別に照射するものである。そして、各レーザー照射器２１は、支持台２２に固定的に支持してあって、この支持台２２が駆動装置２３によって駆動されることにより、的５０上にスポットとして照射されるのではなく、閉曲線を形成するように照射されるのである。
【００１１】
駆動装置２３は、本体２０ａに対して回動中心２４を中心に動くように支持した支持台２２を、短時間で周回する閉曲線状に駆動するものである。この場合の閉曲線とは、丸や楕円に限らず、四角や三角が考えられるものであり、要するにレーザー光を一回りさせる道筋が丸や四角等の閉曲線となるようにしてあるのである。勿論、支持台２２の回動中心２４は言わば支点となるものであるから、駆動装置２３によって支持台２２を周回駆動させれば、的５０上に照射されるレーザー光の閉曲線は十分な大きさに拡大されるのであり、換言すれば駆動装置２３の駆動範囲は非常に小さくなって済むものである。
【００１２】
以上のようにして、的５０の該当箇所がレーザー照射器２１によって照射されれば、その部分はレーザー光が閉曲線として照射されるから、的５０のボール３０が当った部分は浮かび上がることになるのである。なお、後述する実施形態では、各ボール感知装置１０を構成している軟質膜体１３上に絵・文字１３ａが表示してあるため、各レーザー照射器２１によるレーザー光照射によって、この絵・文字１３ａが浮かび上がることになる。
【００１３】
そして、この表示装置２０で重要なことは、的５０のボール３０が当った部分を直接的に光らせるのではなく、ボール３０が飛び回るのとは別の部分に設置しておいて、的５０のボール３０が当った部分を間接的に浮かび上がらせるのであるから、ボール３０の動きや当ったときの衝撃等には一切影響を受けることはなく、常に安定した表示を行うことができることである。つまり、もし的５０のボール３０が当った部分を直接的に光らせて表示するようにしたとすると、その光らせる発光ダイオードにようなものにボール３０が直接当たることになって、その衝撃で表示装置が故障することになるが、本発明表示装置２０は、的５０の該当部分を浮かび上がらせるのであるから、そのような問題は生じないのである。
【００１４】
なお、この表示装置２０の各レーザー照射器２１は、実施形態ではボール感知装置１０の気流感知スイッチ１４からの信号を得てレーザー光の照射を行うものであるが、これに限られるものではない。すなわち、各レーザー照射器２１に対する信号は、的５０の周囲に多数設けた光電素子のように、ボール３０の通過及びその箇所を光学的に感知するようにしたもの、あるは的５０上に設けた感圧素子等から受けるものであってもよいものである。
【００１５】
ところで、ボール感知装置１０は、球技遊技機１００内に設置してある的５０に、図３〜図５に示すように複数組付けられるものであり、的５０の該当箇所にボール３０が当ったことを感知するものである。換言すれば、プレイゾーン４０上のプレイヤーＰが投げた、または打ったボール３０が的５０上に当たると、この的５０を所定数に区画してある部分に該当する各ボール感知装置１０が作動して、このボール感知装置１０が有している気流感知スイッチ１４から上記表示装置２０等に信号を送ることになるのである。
【００１６】
各ボール感知装置１０は、上述した通り、収納体１１と、この収納体１１内に収納されてボール３０が当てられたときの衝撃で空気を排出するスポンジ体１２と、このスポンジ体１２の前面を覆い収納体１１の表面に取付けられる軟質膜体１３と、収納体１１の裏面に接続されて、ボール３０が的５０に当てられたときにスポンジ体１２からの気体を感知して電気的信号を発する気流感知スイッチ１４とにより構成されているから、その構造が非常に簡単になっていて、スポンジ体１２、軟質膜体１３、あるいは気流感知スイッチ１４の交換を含むメンテナンスが容易となっている。しかも、簡単な構造であるから、的５０の形状等に合わせた大きさ、形状のものを容易に製造することもできるものである。
【００１７】
このボール感知装置１０の軟質膜体１３表面にボール３０が当ると、このボール３０が文字通り軟質の軟質膜体１３をスポンジ体１２側に押し込み、スポンジ体１２は内部に有していた空気を自らの外に排出しながら収縮することになる。各ボール感知装置１０は、収納体１１、その裏板１１ｂ及び軟質膜体１３によって言わば気密的な状態にされているから、軟質膜体１３によって押されスポンジ体１２から排出した空気は、収納体１１の裏板１１ｂに接続してあるホース１４ａを介して気流感知スイッチ１４側に直ちに送られる。
【００１８】
気流感知スイッチ１４は、この送られてきた気体の流れを感知して電気的信号を、表示装置２０等の表示装置に送るのである。これにより、表示装置２０等によって、的５０の該当する部分にボール３０が当ったことを表示するのである。
【００１９】
なお、このボール感知装置１０は、上述した本発明に係る表示装置２０だけでなく、その他のダイオード発光型の表示装置やスクリーン投影を利用した表示装置等をも対象とすることができるものである。
【００２０】
以上のようなボール感知装置１０であれば、その収納体１１内のスポンジ体１２が、ボール３０が当ったときの衝撃を吸収することができるのであり、軟質膜体１３の急激なスポンジ体１２側への押し込みが回避される。つまり、この種の球技遊技機１００においては、ボール３０が的５０に向けて力一杯投げ付けられることがあるが、そのような力を、このボール感知装置１０は収納体１１及び軟質膜体１３とともに柔らかく受け止めることになる。
【００２１】
勿論、各ボール感知装置１０においては、そのスポンジ体１２の吸収部分が収納体１１によって確保されているため、他のボール感知装置１０にボール３０が当ったときの衝撃によって当該ボール感知装置１０が影響を受けることは全くない。つまり、各ボール感知装置１０は、それぞれ確実に作動することになるのである。なお、実際の取付けにあたっては、図３〜図５に示すように、各ボール感知装置１０間を少し離すようにしておくとよい。バスケットボールのような、直径の大きなボール３０であれば、複数のボール感知装置１０上に当ってしまうことになるから、このようなことを避けるためである。
【００２２】
なお、このボール感知装置１０の気流感知スイッチ１４からの信号は、表示装置２０等の表示装置だけでなく、図示しない点数計算器等にも送られる。この点数計算器では、各ボール感知装置１０からの信号の入力に応じて、そのプレイヤーＰの投量の測定や点数計算を行うものである。
【００２３】
以上の結果、このボール感知装置１０は、ボール３０が的５０の該当個所に当ったことを確実に表示装置２０等に伝達するのであり、ボール３０から受ける衝撃を柔らげることができるため耐久性にも優れ、しかも他のボール感知装置１０にボール３０が当ったときの影響も受けないのである。
【００２４】
従って、本発明に係る表示装置２０は、その機能を発揮する上で、ボール３０からの衝撃は全く受けることがなく、的５０のボール３０が当った部分のみを確実に浮かび上がらせることができるのである。また、上述したボール感知装置１０を使用する実施形態のものに限って言えば、的５０の言わば外側からボール３０の当った部分を浮かび上がらせて表示をするのであるから、各ボール感知装置１０の構造を簡単にして、結果的に各ボール感知装置１０の耐久性を向上させることができるのである。
【発明の効果】
【００２５】
以上、説明した通り、本発明においては、
「的５０側に設けられてボール３０が当たったことを感知するボール感知装置１０等からの信号を得てレーザー光を発するレーザー照射器２１と、このレーザー照射器２１の複数を固定的に支持する支持台２２と、この支持台２２全体を周期的に閉曲線運動させる駆動装置２３とにより構成して、
的５０の所定箇所にボール３０が当ったとき、その部分をレーザー光の閉曲線によって浮かび上がらせるようにしたこと」
にその構成上の特徴があり、これにより、的のボールが当った部分のみをレーザー光によって浮かび上がらせることができ、ボールの当たる衝撃には全く影響を受けないようにすることができて、結果的にボール感知装置の耐久性を向上させることのできる表示装置２０を提供することができるのである。
【発明を実施するための最良の形態】
【００２６】
次に、上記のように構成した請求項に係る発明を、図面に示した最良の形態に従って説明する。この最良形態のボール感知装置１０と表示装置２０とは、それぞれ互いに関連し合っているものである。
【００２７】
図１及び図２には、野球のバッティングを行うものを例とした球技遊技機１００の平面図及び縦断面図が示してあり、この球技遊技機１００を構成している本体１００ａは床や入室用のドアを有していて、図示右側に、二点鎖線で示したプレイゾーン４０がある。そして、この本体１００ａの図示左側内壁面には図３に示したような的５０が設けてある。
【００２８】
本最良形態の球技遊技機１００では、その本体１００ａ内の的５０寄りの床面上に配球装置６０が備え付けてあり、この配球装置６０は、プレイヤーＰによって打ち込まれた野球のボール３０を自動的に集めるとともに、プレイゾーン４０上のプレイヤーＰに向けてピッチングするピッチングマシンでもある。また、この本体１００ａの天井側であって、ボール３０が飛ぶ範囲外となる部分に、的５０上の図３に示した絵・文字１３ａを個別に浮き上がらせるための表示装置２０が設けてある。
【００２９】
以上のようにした球技遊技機１００は、次のようにして使用される。まず、プレイヤーＰがプレイゾーン４０上に立って所定の操作（図示しない料金装置への料金の投入やスタートボタンによるプレイ開始操作等）を行うと、配球装置６０からボール３０がプレイヤーＰに向けて供給される。そこで、プレイヤーＰは、通常のバッティング装置を使用する感覚でボール３０を的５０に向けて打つのである。
【００３０】
プレイヤーＰによって打たれたボール３０が的５０上の所定部分、例えば図３に示した「１」の絵・文字１３ａ部分に当たると、この部分にあるボール感知装置１０が作動し、表示装置２０から照射されるレーザー光によって「１」の絵・文字１３ａの周りが浮かび上がらされるのである。このとき、図示しない前述した点数計算器によって得点集計がなされるのである。
【００３１】
さて、この球技遊技機１００の的５０には、図３〜図５に示したような表面形状を有したボール感知装置１０が複数設置してある。なお、図３の的５０は野球のバッティング用、図４の的５０はテニス用、そして図５の的５０はサッカー用のものである。
【００３２】
各ボール感知装置１０は、図６及び図７に示した実施例１のものと、図８及び図９に示した実施例２のものとに分けられるが、いずれにしても、収納体１１とこの収納体１１内に収納されてボール３０が当てられたときの衝撃で空気を排出するスポンジ体１２と、このスポンジ体１２の前面を覆い収納体１１の表面に取付けられる軟質膜体１３と、収納体１１の裏面に接続されて、ボール３０が的５０に当てられたときにスポンジ体１２からの気体を感知して電気的信号を発する気流感知スイッチ１４とを有したものである。
【００３３】
図６及び図７に示したボール感知装置１０は、剛性箱体である各収納体１１内にスポンジ体１２を収納するとともに、この収納体１１の開口１１ａを、合成樹脂シートやキャンバス等によって形成した軟質膜体１３によって覆ったものである。各収納体１１の裏面側には裏板１１ｂが固定されるものであり、各収納体１１内に連通するホース１４ａが当該裏板１１ｂにそれぞれ接続してある。
【００３４】
各ホース１４ａの後端側には、気体の流れによって電気的信号を発する気流感知スイッチ１４がそれぞれ接続してあり、この気流感知スイッチ１４は、各収納体１１内の空気がボール３０の当りによって送られてきたときに作動するものである。また、これら各気流感知スイッチ１４は、その作動時に、表示装置２０の各レーザー照射器２１や図示しない点数計算器に信号を発して、各々の作動を行わせるものである。
【００３５】
これら図６及び図７に示した各ボール感知装置１０は、特に図７に示したように、剛性箱体である収納体１１内にスポンジ体１２を収納しておいて、その両側を軟質膜体１３及び裏板１１ｂによって覆うものであるから、非常に簡単に構成することができるものである。また、本最良形態の軟質膜体１３の表面には、図３〜図５に示したような絵・文字１３ａが記入してあり、そのボール感知装置１０が的５０上のどの部分に該当するものであるかが示され、プレイヤーＰにも見えるようにしてある。
【００３６】
図８及び図９に示したボール感知装置１０では、スポンジ体１２の全体を、キャンバス等の可撓のある材料によって形成した収納体１１によって包み込むようにしてあり、スポンジ体１２の裏側に取付けられる裏板１１ｂも軟質なものとなるようにしたものである。すなわち、この実施例２のボール感知装置１０は、特に図９に示したように、スポンジ体１２の周囲を、可撓性のある収納体１１及び裏板１１ｂによって包み込んだものであり、ボール３０が当ったときの衝撃を、表面側の軟質膜体１３とともに十分吸収できるようにしたものであって、打ち込まれてきたボール３０が当該ボール感知装置１０を設けた的５０上からプレイヤーＰ側に向けてはね返らないようにしたものである。
【００３７】
勿論、図８及び図９に示したボール感知装置１０も、ボール３０が当ったときには、図６及び図７に示した各ボール感知装置１０と同様に、各気流感知スイッチ１４によってボール３０当接を感知して、表示装置２０等の作動を制御するものである。
【００３８】
すなわち、いずれの実施例に係るボール感知装置１０も、ボール３０の当接によって収縮したスポンジ体１２からの空気の流れが各々の気流感知スイッチ１４によって感知されるものであり、そのボール３０当接感知を表示装置２０に知らせるものである。
【００３９】
この表示装置２０は、図１０及び図１１に示したように、的５０側に設けられてボール３０が当たったことを感知するボール感知装置１０等からの信号を得てレーザー光を発するレーザー照射器２１と、このレーザー照射器２１の複数を固定的に支持する支持台２２と、この支持台２２全体を周期的に閉曲線運動させる駆動装置２３とにより構成されているものである。
【００４０】
図１０には、この表示装置２０の概略構成が示してあり、この表示装置２０の本体２０ａは、図２に示したように、球技遊技機１００の本体１００ａの所定位置に取付けられるものであって、プレイヤーＰが打った、または投げたボール３０が直接当たらないようにしてある。この本体２０ａ内には、複数のレーザー照射器２１を支持した支持台２２が回動中心２４を中心にして回動自在に組付けてあり、この支持台２２は駆動装置２３によって閉曲線を形成するように周回駆動されるのである。図１１は、最良形態の表示装置２０の断面図が示してあり、駆動装置２３による支持台２２の周回駆動は、偏心ベアリング２５を介してなされるようになっている。
【００４１】
なお、図１２及び図１３には、当該球技遊技機１００の球技としてサッカーを採用した場合の平面図及び縦断面図が示してあり、ボール３０は当然ながらサッカーボールである。この球技遊技機１００内の的５０は、図５に示してある。
【図面の簡単な説明】
【００４２】
【図１】本発明に係る表示装置を適用した球技遊技機であって、球技として野球のバッティングを採用した場合の平面図である。
【図２】同縦断面図である。
【図３】同球技遊技機において使用している的の正面図である。
【図４】同球技遊技機をテニス用としたときの的の正面図である。
【図５】同球技遊技機をサッカー用としたときの的の正面図である。
【図６】ボール感知装置の複数を取付けた的の概略断面図である。
【図７】同ボール感知装置の概略分解斜視図である。
【図８】ボール感知装置の他の実施例を示す的の部分断面図である。
【図９】図８に示したボール感知装置の要部拡大断面図である。
【図１０】本発明に係る表示装置と的との関係を示す概略斜視図である。
【図１１】同表示装置の断面図である。
【図１２】球技としてサッカーを採用した場合の球技遊技機の平面図である。
【図１３】同球技遊技機の縦断面図である。
【符号の説明】
【００４３】
１００    球技遊技機
１００ａ  本体
１０    ボール感知装置
１１    収納体
１１ａ  開口
１１ｂ  裏板
１２    スポンジ体
１３    軟質膜体
１３ａ  絵・文字
１４    気流感知スイッチ
２０    表示装置
２０ａ  本体
２１    レーザー照射器
２２    支持台
２３    駆動装置
２４    回動中心
３０    ボール
４０    プレイゾーン
５０    的
６０    配球装置
Ｐ      プレイヤー
【図１】
2008178711.tif 000003
【図２】
2008178711.tif 000004
【図３】
2008178711.tif 000005
【図４】
2008178711.tif 000006
【図５】
2008178711.tif 000007
【図６】
2008178711.tif 000008
【図７】
2008178711.tif 000009
【図８】
2008178711.tif 000010
【図９】
2008178711.tif 000011
【図１０】
2008178711.tif 000012
【図１１】
2008178711.tif 000013
【図１２】
2008178711.tif 000014
【図１３】
2008178711.tif 000015